(57)【要約】【課題】  従来のソーラーシステムでは、太陽電池パネルを十分低温にすることができず、発電効率があまり大きく向上しないという課題がある。また、従来のソーラーシステムでは、太陽電池パネルを加熱する量が小さく、太陽電池パネルを十分に高温にすることができず、光劣化はあまり回復せず、発電効率はあまり大きく向上しないという課題がある。【解決手段】  太陽電池パネル１の裏面に設けた第１の熱交換器２と、蓄熱槽に蓄熱させる第２の熱交換器３とを有するヒートポンプ回路と、蓄熱槽５に蓄熱された熱を利用して太陽電池パネル１を加熱する加熱手段とを備えた、ソーラーシステムである。【選択図】  図１
2005134104.tif 000002
【特許請求の範囲】
【請求項１】
太陽電池パネルに設けられた第１の熱交換器と、蓄熱槽に蓄熱させる第２の熱交換器とを有するヒートポンプ回路と、
前記蓄熱槽に蓄熱された熱を利用して前記太陽電池パネルを加熱する加熱手段とを備えた、ソーラーシステム。
【請求項２】
（１）前記太陽電池パネルの発電出力が所定値以上の場合には、前記第１の熱交換器は蒸発器として、前記第２の熱交換器は凝縮器として各々動作し、（２）前記太陽電池パネルの発電出力が前記所定値未満の場合には、前記加熱手段は、前記太陽電池パネルを加熱する、請求項１に記載のソーラーシステム。
【請求項３】
前記ヒートポンプ回路は、室内熱交換器を有し、
前記太陽電池パネルの発電出力が前記所定値未満の場合には、前記室内熱交換器が蒸発器として動作している際、前記第１の熱交換器は、凝縮器として動作する、請求項２に記載のソーラーシステム。
【請求項４】
前記蓄熱槽に蓄熱された熱を利用して暖房する暖房手段を備え、
前記ヒートポンプ回路は、室内熱交換器を有し、
（１）前記太陽電池パネルの発電出力が前記所定値以上の場合には、前記室内熱交換器は凝縮器として動作し、（２）前記太陽電池パネルの発電出力が前記所定値未満の場合には、前記暖房手段によって暖房する、請求項２に記載のソーラーシステム。
【請求項５】
前記ヒートポンプ回路の冷媒は、二酸化炭素である、請求項１記載のソーラーシステム。
【請求項６】
前記太陽電池パネルは、アモルファス系半導体が用いられている、請求項１記載のソーラーシステム。
【請求項７】
太陽電池パネルに設けられた第１の熱交換器と、蓄熱槽に蓄熱させる第２の熱交換器とを有するヒートポンプ回路と、
前記蓄熱槽に蓄熱された熱を利用して前記太陽電池パネルを加熱する加熱手段とを備えた、ソーラーシステムを運転するソーラーシステムの運転方法であって、
前記太陽電池パネルの発電出力が所定値以上の場合には、前記第１の熱交換器は蒸発器として、前記第２の熱交換器は凝縮器として各々動作させるステップと、
前記太陽電池パネルの発電出力が前記所定値未満の場合には、前記加熱手段により、前記太陽電池パネルを加熱するステップとを備えた、ソーラーシステムの運転方法。
【発明の詳細な説明】
【技術分野】
【０００１】
本発明は、高い発電効率を有するソーラーシステム、及びソーラシステムの運転方法に関する。
【背景技術】
【０００２】
図９に従来のソーラーシステムの構成を示す。図９において、１は、裏面に太陽光熱集熱器を配置した太陽電池パネルである。３は、第２の熱交換器である。４は、室内を冷暖房する室内熱交換器である。５は、第２の熱交換器３を介して温水や不凍液等に蓄熱する蓄熱槽である。６は、圧縮器である。７は、第１の膨張弁である。８は、第２の膨張弁である。９は、四方弁である。１０は、第１の電磁弁である。１１は、第２の電磁弁である。１２は、第１の三方弁である。１７は、室外熱交換器である。
【０００３】
従来のソーラーシステムでは、図９に示すように太陽電池パネル１の裏面に熱交換器を設置し、給湯、蓄熱および暖房運転時に熱交換器をヒートポンプ回路の蒸発器として動作させることによって、太陽電池パネル１を冷却し、発電効率を向上させている（例えば、特許文献１参照）。
【０００４】
また、図１０に従来の太陽電池パネルの構成を示す。図１０において、太陽電池パネル１は、透明基板２０の裏面に太陽電池層２１が形成されており、太陽電池パネル１の裏面に接着材２２を介して、潜熱蓄熱材１６と断熱材２３が順次積層されている。
【０００５】
図１０に示すように太陽電池パネル１の裏面に潜熱蓄熱材１６を設置し、昼間に太陽熱を潜熱蓄熱材１６に蓄熱し、夜間の日射がない時間帯に潜熱蓄熱材１６で太陽電池パネル１を加熱することによって、光劣化を回復させて、発電効率を向上させている（例えば、特許文献２参照）。
【特許文献１】特開２０００-１７１１０５号公報（例えば、第１図）
【特許文献２】特開平９-２８３７８４号公報（例えば、第１図）
【発明の開示】
【発明が解決しようとする課題】
【０００６】
しかしながら、特許文献１に記載されたソーラーシステムの構成では、給湯、蓄熱および暖房運転時に太陽電池パネル１の裏面に設置された熱交換器をヒートポンプ回路の蒸発器として動作させており、太陽電池パネルを冷却する量が給湯負荷や昼間の暖房負荷によって制限を受けるため、太陽電池パネルを十分に低温にすることができず、発電効率はあまり大きく向上しない。
【０００７】
すなわち、特許文献１に記載されたソーラーシステムでは、太陽電池パネルを十分に低温にすることができず、発電効率はあまり大きく向上しないという課題がある。
【０００８】
また、特許文献２に記載されたソーラーシステムの構成では、昼間に太陽熱を潜熱蓄熱材に蓄熱し、夜間の日射がない時間帯に潜熱蓄熱材で太陽電池パネルを加熱しているが、太陽電池パネルの面積が大きいことから、夜間までに潜熱蓄熱材に蓄熱した熱が放熱してしまうため、太陽電池パネルを加熱する量は小さく、十分に高温にすることができず、光劣化はあまり回復しない。すなわち、発電効率はあまり大きく向上しない。
【０００９】
すなわち、特許文献２に記載されたソーラーシステムでは、太陽電池パネルを加熱する量が小さく、太陽電池パネルを十分に高温にすることができず、光劣化はあまり回復せず、発電効率はあまり大きく向上しないという課題がある。
【００１０】
本発明は、上記課題を考慮し、発電効率を向上することが出来るソーラーシステム、及びソーラーシステムの運転方法を提供することを目的とするものである。
【課題を解決するための手段】
【００１１】
上述した課題を解決するために、第１の本発明は、太陽電池パネルに設けられた第１の熱交換器と、蓄熱槽に蓄熱させる第２の熱交換器とを有するヒートポンプ回路と、
前記蓄熱槽に蓄熱された熱を利用して前記太陽電池パネルを加熱する加熱手段とを備えた、ソーラーシステムである。
【００１２】
また、第２の本発明は、（１）前記太陽電池パネルの発電出力が所定値以上の場合には、前記第１の熱交換器は蒸発器として、前記第２の熱交換器は凝縮器として各々動作し、（２）前記太陽電池パネルの発電出力が前記所定値未満の場合には、前記加熱手段は、前記太陽電池パネルを加熱する、第１の本発明のソーラーシステムである。
【００１３】
本構成によって、発電している時に太陽電池パネルは低温になるため、発電効率を向上させることができる。また、発電していない時に太陽電池パネルの温度は高温になるため、蓄熱槽から多量の熱が放熱されることから、蓄熱槽の余裕度が大きくなるため、太陽電池パネルを冷却する量を大きくすることができるとともに、光劣化から回復することができ、高い発電効率が得られる。
【００１４】
また、第３の本発明は、前記ヒートポンプ回路は、室内熱交換器を有し、
前記太陽電池パネルの発電出力が前記所定値未満の場合には、前記室内熱交換器が蒸発器として動作している際、前記第１の熱交換器は、凝縮器として動作する、第２の本発明のソーラーシステムである。
【００１５】
本構成によって、発電している時には太陽電池パネルの温度に影響しないため、高い発電効率を保ったまま、冷房運転時の不快な排熱を抑制することができる。
【００１６】
また、第４の本発明は、前記蓄熱槽に蓄熱された熱を利用して暖房する暖房手段を備え、
前記ヒートポンプ回路は、室内熱交換器を有し、
（１）前記太陽電池パネルの発電出力が前記所定値以上の場合には、前記室内熱交換器は凝縮器として動作し、（２）前記太陽電池パネルの発電出力が前記所定値未満の場合には、前記暖房手段によって暖房する、第２の本発明のソーラーシステムである。
【００１７】
本構成によって、夜間の暖房負荷に相当する量まで太陽電池パネルを冷却することができるため、より発電効率を向上させることができる。
【００１８】
また、第５の本発明は、前記ヒートポンプ回路の冷媒は、二酸化炭素である、第１の本発明のソーラーシステムである。
【００１９】
本構成によって、発電していない時に太陽電池パネルは十分高温まで加熱されるため、光劣化からの回復や蓄熱槽からの放熱が促進され、高い発電効率を得ることができる。
【００２０】
また、第６の本発明は、前記太陽電池パネルは、アモルファス系半導体が用いられている、第１の本発明のソーラーシステムである。
【００２１】
本構成によって、アモルファス系半導体では、光劣化からの回復効果が大きいため、より発電効率を向上させることができる。
【００２２】
また、第７の本発明は、太陽電池パネルに設けられた第１の熱交換器と、蓄熱槽に蓄熱させる第２の熱交換器とを有するヒートポンプ回路と、
前記蓄熱槽に蓄熱された熱を利用して前記太陽電池パネルを加熱する加熱手段とを備えた、ソーラーシステムを運転するソーラーシステムの運転方法であって、
前記太陽電池パネルの発電出力が所定値以上の場合には、前記第１の熱交換器は蒸発器として、前記第２の熱交換器は凝縮器として各々動作させるステップと、
前記太陽電池パネルの発電出力が前記所定値未満の場合には、前記加熱手段により、前記太陽電池パネルを加熱するステップとを備えた、ソーラーシステムの運転方法である。
【発明の効果】
【００２３】
本発明のソーラーシステム及びソーラーシステムの運転方法では、太陽電池パネルの発電出力が所定値以上のとき、第１の熱交換器を蒸発器として動作させ、第２の熱交換器を凝縮器として動作させて蓄熱槽に蓄熱し、発電出力が所定値未満のとき、蓄熱槽に蓄熱された熱を利用して太陽電池パネルを加熱することによって、発電している時に太陽電池パネルを低温にして発電効率を向上させることができ、発電していない時に太陽電池パネルの温度を高温にして光劣化から回復することができる。
【発明を実施するための最良の形態】
【００２４】
以下に、本発明の実施の形態を図面を参照して説明する。ただし、従来から広く採用されている公知の手段については、詳細な説明を省略する。
【００２５】
（実施の形態１）
図１から図６は、本発明の実施の形態１におけるソーラーシステムの空調運転なしの場合（日射、非日射）、冷房運転時（日射、非日射）および暖房運転時（日射、非日射）のヒートポンプ回路図である。また、図７は、本発明の実施の形態１におけるソーラーシステムの四方弁、電磁弁、三方弁の動作図であり、図８は、本発明の実施の形態１におけるソーラーシステムの１日の中での太陽電池パネル温度の変化を表す図である。
【００２６】
図１から図６において、１は太陽電池パネルである。太陽電池パネル１の裏面に設置された２は、第１の熱交換器である。３は、第２の熱交換器である。４は、室内熱交換器である。５は、蓄熱槽である。６は、圧縮機である。７は、第１の膨張弁である。８は、第２の膨張弁である。
【００２７】
そして、太陽電池パネル１、第１の熱交換器２、第２の熱交換器３、室内熱交換器４蓄熱槽５、圧縮機６、第１の膨張弁７、及び第２の膨張弁８は、ヒートポンプ回路を構成している。
【００２８】
また、９は、四方弁である。１０、１１は、第１、第２の電磁弁である。１２から１４は、ヒートポンプ回路を切換える第１から第３の三方弁である。さらに、１５は、暖房装置である。
【００２９】
なお、本実施の形態では、太陽電池パネル１としてアモルファスシリコンを用いており、ヒートポンプ回路の冷媒として二酸化炭素を用いている。また、太陽電池パネル１の裏面とは、太陽に相対している側と反対側の面を指している。
【００３０】
次に、このような本実施の形態の動作を説明する。
【００３１】
まず、最初に、図１、図７において本実施の形態のソーラーシステムを空調運転しない場合（日射時）の動作について説明する。
【００３２】
すなわち、空調運転を行っていない場合に、太陽電池パネル１の発電出力が所定値（ここでは、０．２ｋＷ／ｍ２）以上のとき、四方弁９、第１の電磁弁１０、第２の電磁弁１１、第１の三方弁１２、第２の三方弁１３、及び第３の三方弁１４は、図７に示すように動作する。すなわち、四方弁９は、図１の９Ａに示すような導通状態になる。第１の電磁弁１０は閉状態になる。第２の電磁弁１１は、開状態になる。第１の三方弁１２は使用されない。第２の三方弁１３は、図１の１３Ａに示すような導通状態になる。第３の三方弁１４は、図１の１４Ａに示すような導通状態になる。
【００３３】
従って、図１に示すようなヒートポンプ回路が構成される。すなわち、第１の熱交換器２を蒸発器として動作させ、第２の熱交換器３を凝縮器として動作させて蓄熱槽５に蓄熱する。このとき、太陽電池パネル１は、第１の熱交換器２内を流れる冷媒に気化熱を奪われて、大気温度に近い低温になる。また、蓄熱槽５には約９０℃のお湯が貯められる。
【００３４】
次に、図２、図７において空調運転しない場合（非日射時）の動作について説明する。
【００３５】
すなわち、空調運転を行っていない場合に、太陽電池パネル１の発電出力が所定値（ここでは、０．２ｋＷ／ｍ２）未満のとき、四方弁９、第１の電磁弁１０、第２の電磁弁１１、第１の三方弁１２、第２の三方弁１３、及び第３の三方弁１４は、図７に示すように動作する。すなわち、四方弁９は、使用されない。第１の電磁弁１０は、使用されない。第２の電磁弁１１は、使用されない。第１の三方弁１２は使用されない。第２の三方弁１３は、使用されない。第３の三方弁１４は、使用されない。
【００３６】
従って、図２に示すようなヒートポンプ回路が構成される。すなわち、図１に示したヒートポンプ回路は動作せず、蓄熱槽５に貯められた約９０℃のお湯を第１の熱交換器２に循環させて、太陽電池パネル１はアニール可能温度以上の約８０℃の高温に加熱されるとともに、蓄熱槽５の余剰な熱を放熱させることができる。
【００３７】
このように、空調運転しない場合（非日射時）には、蓄熱層５に貯められたお湯を、蓄熱層５と第１の熱交換器２とを接続する専用の配管を経由して、この配管に設けられたポンプによって第１の熱交換器２に循環させる。つまり、空調運転しない場合（非日射時）には、空調運転しない場合（日射時）とは異なった回路が用いられる。つまり、空調運転しない場合（非日射時）には、空調運転しない場合（日射時）とは異なる専用の回路を用いることにより、蓄熱層５に貯められたお湯を第１の熱交換器２に循環させることが出来るので、太陽電池パネル１をアニール可能温度以上の高温に加熱することが出来る。
【００３８】
なお、空調運転しない場合（非日射時）に用いられる場合の蓄熱層５と第１の熱交換器２とを接続する専用の配管及びこの配管の設けられたポンプは、本発明の加熱手段の例である。
【００３９】
次に、図３、図７において冷房運転時（日射時）の動作について説明する。
【００４０】
すなわち、冷房運転時に、太陽電池パネル１の発電出力が所定値以上のとき、四方弁９、第１の電磁弁１０、第２の電磁弁１１、第１の三方弁１２、第２の三方弁１３、及び第３の三方弁１４は、図７に示すように動作する。すなわち、四方弁９は、図３の９Ｂに示すような導通状態になる。第１の電磁弁１０は、開状態になる。第２の電磁弁１１は、閉状態になる。第１の三方弁１２は図３の１２Ｂに示すような導通状態になる。第２の三方弁１３は、図３の１３Ｂに示すような導通状態になる。第３の三方弁１４は、図３の１４Ｂに示すような導通状態になる。
【００４１】
従って、図３に示すようなヒートポンプ回路が構成される。すなわち、第１の熱交換器２と室内熱交換器４とを蒸発器として動作させ、第２の熱交換器３を凝縮器として動作させて蓄熱槽５に蓄熱する。このとき、太陽電池パネル１は、第１の熱交換器２内を流れる冷媒に気化熱を奪われて、大気温度に近い低温になる。また、室内熱交換器４から冷風を吹き出して冷房を行う。さらに、蓄熱槽５には約９０℃のお湯が貯められる。
【００４２】
次に、図４、図７において冷房運転時（非日射時）の動作について説明する。
【００４３】
すなわち、冷房運転時に、太陽電池パネル１の発電出力が所定値未満のとき、四方弁９、第１の電磁弁１０、第２の電磁弁１１、第１の三方弁１２、第２の三方弁１３、及び第３の三方弁１４は、図７に示すように動作する。すなわち、四方弁９は、図４の９Ｂに示すような導通状態になる。第１の電磁弁１０は、開状態になる。第２の電磁弁１１は、閉状態になる。第１の三方弁１２は図４の１２Ａに示すような導通状態になる。第２の三方弁１３は、図４の１３Ａに示すような導通状態になる。第３の三方弁１４は、図４の１４Ａに示すような導通状態になる。
【００４４】
従って、図４に示すようなヒートポンプ回路が構成される。すなわち、室内熱交換器４を蒸発器として動作させ、第１の熱交換器３を凝縮器として動作させるとともに、蓄熱槽５に貯められた約９０℃のお湯を第１の熱交換器２に循環させる。これによって、太陽電池パネル１はアニール可能温度以上の約８０℃の高温に加熱されるとともに、蓄熱槽５の余剰な熱を放熱させることができる。また、室内熱交換器４から冷風を吹き出して冷房を行うが、この排熱も太陽電池パネル１から放熱させることができる。
【００４５】
このように、冷房運転時（非日射時）には、蓄熱層５に貯められたお湯を、蓄熱層５と第１の熱交換器２とを接続する専用の配管を経由して、この配管に設けられたポンプによって第１の熱交換器２に循環させるとともに、室内熱交換器４を蒸発器として動作させ、第１の熱交換器３を凝縮器として動作させる。つまり、冷房運転時（非日射時）には、冷房運転時（日射時）とは異なった回路が用いられる。すなわち、冷房運転時（非日射時）には、冷房運転時（日射時）とは異なる専用の回路を用いることにより、蓄熱層５に貯められたお湯を第１の熱交換器２に循環させるとともに、室内熱交換器４を蒸発器として動作させ、第１の熱交換器３を凝縮器として動作させることにより、太陽電池パネル１をアニール可能温度以上の高温に加熱することが出来る。
【００４６】
なお、冷房運転時（非日射時）に用いられる場合の蓄熱層５と第１の熱交換器２とを接続する専用の配管及びこの配管の設けられたポンプは、本発明の加熱手段の例である。
【００４７】
次に、図５、図７において暖房運転時（日射時）の動作について説明する。
【００４８】
すなわち、暖房運転時に、太陽電池パネル１の発電出力が所定値以上のとき、四方弁９、第１の電磁弁１０、第２の電磁弁１１、第１の三方弁１２、第２の三方弁１３、及び第３の三方弁１４は、図７に示すように動作する。すなわち、四方弁９は、図５の９Ａに示すような導通状態になる。第１の電磁弁１０は、開状態になる。第２の電磁弁１１は、開状態になる。第１の三方弁１２は図５の１２Ａに示すような導通状態になる。第２の三方弁１３は、図５の１３Ａに示すような導通状態なる。第３の三方弁１４は、図５の１４Ａに示すような導通状態になる。
【００４９】
従って、図５に示すようなヒートポンプ回路が構成される。すなわち、第１の熱交換器２を蒸発器として動作させ、室内熱交換器４と第２の熱交換器３とを凝縮器として動作させて蓄熱槽５に蓄熱する。このとき、太陽電池パネル１は、第１の熱交換器２内を流れる冷媒に気化熱を奪われて、大気温度に近い低温になる。また、室内熱交換器４から温風を吹き出して暖房を行う。さらに、蓄熱槽５には約９０℃のお湯が貯められる。
【００５０】
最後に、図６、図７において暖房運転時（非日射時）の動作について説明する。
【００５１】
すなわち、暖房運転時に、太陽電池パネル１の発電出力が所定値未満のとき、四方弁９、第１の電磁弁１０、第２の電磁弁１１、第１の三方弁１２、第２の三方弁１３、及び第３の三方弁１４は、図７に示すように動作する。すなわち、四方弁９は、使用されない。第１の電磁弁１０は、使用されない。第２の電磁弁１１は、使用されない。第１の三方弁１２は、使用されない。第２の三方弁１３は、使用されない。第３の三方弁１４は、使用されない。
【００５２】
従って、図６に示すようなヒートポンプ回路が構成される。すなわち、ヒートポンプ回路は動作せず、蓄熱槽５に貯められた約９０℃のお湯を第１の熱交換器２に循環させて、太陽電池パネル１はアニール可能温度以上の約８０℃の高温に加熱されるとともに、蓄熱槽５の余剰な熱を放熱させることができる。また、床暖房等の暖房装置１５にも循環させて暖房を行う。
【００５３】
このように、暖房運転時（非日射時）には、蓄熱層５に貯められたお湯を、蓄熱層５と第１の熱交換器２とを接続する専用の配管を経由して、この配管に設けられたポンプによって第１の熱交換器２に循環させる。つまり、暖房運転時（非日射時）には、暖房運転時（日射時）とは異なった回路が用いられる。すなわち、暖房運転時（非日射時）には、暖房運転時（日射時）とは異なる専用の回路を用いることにより、蓄熱層５に貯められたお湯を第１の熱交換器２に循環させることにより、太陽電池パネル１をアニール可能温度以上の高温に加熱することが出来る。
【００５４】
なお、空調運転しない場合（非日射時）に用いられる場合の蓄熱層５と第１の熱交換器２とを接続する専用の配管及びこの配管の設けられたポンプは、本発明の加熱手段の例である。
【００５５】
以上の動作を１日の中で整理すると図８に示すようになる。すなわち、昼間の太陽電池パネル１の発電量が多い時間帯は、ヒートポンプ回路で冷却されるため、破線で示す従来の太陽電池パネルの温度より低くすることができる。また、夜間の太陽電池パネル１の発電量が少ない時間帯は、蓄熱槽５の熱を利用して加熱されるため、アニール可能温度以上の高温になる。
【００５６】
このように、本実施の形態のソーラーシステムによって、発電している時に太陽電池パネル１は低温になるため、発電効率を向上させることができる。また、発電していない時に太陽電池パネル１の温度は高温になるため、蓄熱槽５から多量の熱が放熱されることから、蓄熱槽５の余裕度が大きくなるため、太陽電池パネル１を冷却する量を大きくすることができるとともに、光劣化から回復することができ、高い発電効率が得られる。また、発電している時には太陽電池パネル１の温度に影響しないため、高い発電効率を保ったまま、冷房運転時の不快な排熱を抑制することができる。また、夜間の暖房負荷に相当する量まで太陽電池パネル１を冷却することができるため、より発電効率を向上させることができる。
【００５７】
また、ヒートポンプ回路の冷媒として二酸化炭素を用いていることから、発電していない時に太陽電池パネル１は十分高温まで高効率で加熱されるため、光劣化からの回復や蓄熱槽５からの放熱が促進され、高い発電効率を得ることができる。
【００５８】
さらに、アモルファス系半導体では、光劣化からの回復効果が大きいため、より発電効率を向上させることができる。
【００５９】
なお、本実施の形態では、太陽電池パネル１としてアモルファス半導体を用いているが、これに限定されるものではない。結晶シリコン、ＣＩＳ等の化合物を用いた場合には、発電していないときに高温にすることによる光劣化からの回復効果は得られないが、発電しているときに高温になることによる発電効率の低下は大きいことから、上記と同様の効果が得られるものである。
【００６０】
また、ヒートポンプ回路の冷媒として二酸化炭素を用いているが、これに限定されるものではなく、上記と同様の効果が得られるものである。ただし、光劣化からの回復が可能であるアニール温度以上の高温まで加熱するときのヒートポンプ回路の成績係数は二酸化炭素が優れているため、省エネルギーで上記と同様の効果を得ることができ、より有効なソーラーシステムを実現することができる。
【００６１】
さらに、ヒートポンプ回路を構成する弁の配置や制御方法については、これに限定されるものではなく、上記と同様の動作を行うことができる回路であれば、上記と同様の効果が得られるものである。また、蓄熱、冷房、暖房の機能を全て兼ね備えたソーラーシステムとしているが、このうち１つのみの機能を備えたソーラーシステムとしてもよく、上記と同様の効果が得られるものである。
【００６２】
さらに、本実施の形態では、第１の熱交換器２を太陽電池パネル１の裏面に設置するとして説明したが、これに限らない。第１の熱交換器２を太陽電池パネル１の裏面の一部のみに設けても構わないし、第１の熱交換器２を太陽電池パネル１の裏面及び太陽電池パネル１の側面に設けても構わない。
【産業上の利用可能性】
【００６３】
本発明にかかるソーラーシステムは、高い発電効率を有するという効果を有し、家庭用冷暖房給湯機等や、工業用加熱・冷却装置の用途等のソーラーシステム、及びソーラシステムの運転方法等に有用である。  
【図面の簡単な説明】
【００６４】
【図１】本発明の実施の形態１におけるソーラーシステムの空調運転なしの場合（日射）のヒートポンプ回路図
【図２】本発明の実施の形態１におけるソーラーシステムの空調運転なしの場合（非日射）のヒートポンプ回路図
【図３】本発明の実施の形態１におけるソーラーシステムの冷房運転時（日射）のヒートポンプ回路図
【図４】本発明の実施の形態１におけるソーラーシステムの冷房運転時（非日射）のヒートポンプ回路図
【図５】本発明の実施の形態１におけるソーラーシステムの暖房運転時（日射）のヒートポンプ回路図
【図６】本発明の実施の形態１におけるソーラーシステムの暖房運転時（非日射）のヒートポンプ回路図
【図７】本発明の実施の形態１におけるソーラーシステムの四方弁、電磁弁、三方弁の動作図
【図８】本発明の実施の形態１におけるソーラーシステムの１日の中での太陽電池パネル温度、発電量の変化を表す図
【図９】従来のソーラーシステム（特許文献１）の構成図
【図１０】従来のソーラーシステム（特許文献２）の構成図
【符号の説明】
【００６５】
１  太陽電池パネル
２  第１の熱交換器
３  第２の熱交換器
４  室内熱交換器
５  蓄熱槽
６  圧縮機
７  第１の膨張弁
８  第２の膨張弁
９  四方弁
１０  第１の電磁弁
１１  第２の電磁弁
１２  第１の三方弁
１３  第２の三方弁
１４  第３の三方弁
１５  暖房装置
１６  潜熱蓄熱材
１７  室外熱交換器
【図１】
2005134104.tif 000003
【図２】
2005134104.tif 000004
【図３】
2005134104.tif 000005
【図４】
2005134104.tif 000006
【図５】
2005134104.tif 000007
【図６】
2005134104.tif 000008
【図７】
2005134104.tif 000009
【図８】
2005134104.tif 000010
【図９】
2005134104.tif 000011
【図１０】
2005134104.tif 000012